(57)【要約】  【課題】    複数の光ファイバ素線を集めて発光管を形成し、該発光管を組み合わせ、面状の発光する網状光飾体を形成し、且つ、その形状を保持できる、網状光飾装置の提供。 【解決手段】    特に光ファイバで光を伝送し、網状の光飾効果を構成する光飾体の結合形態を提供する網状光飾装置であって、主に、複数の透明カバー管の各管体内部に少なくとも１本の光ファイバ素線及び支持ワイヤを穿置して発光管を形成し、該発光管の一端に光の入射端を設け、発光管の相隣する併接線間に前後に位置をずらせて結合部を設け、該結合部の制限により、相隣する発光管を開くと網目が形成される。  【選択図】    図２
0003111128.tif 000002
【実用新案登録請求の範囲】
【請求項１】
特に光ファイバで光を伝送し、網状の光飾効果を構成する光飾体の結合形態を提供する網状光飾装置であって主に、複数の透明カバー管の各管体内部に少なくとも１本の光ファイバ素線及び支持ワイヤを挿通して発光管を形成し、該発光管の一端に光の入射端を設け、発光管の相隣する併接線間に前後に位置をずらせて結合部を設け、結合部の制限により、相隣する発光管を開くと網目が形成される網状光飾装置。
【請求項２】
前記発光管全体に柔軟性をもたせるため、支持ワイヤを設置しない請求項１に記載の網状光飾装置。
【請求項３】
前記各光ファイバ素線の外周表面から内側へ向かって、該光ファイバ素線の外周表面を覆う反射層を立体的に深く切り込み、位置を交錯させて複数の光点の生成槽を開設した請求項１に記載の網状光飾装置。
【請求項４】
前記結合部をプラスチックまたは金属製のC字形の留め具で結合させた請求項１に記載の網状光飾装置。
【請求項５】
前記結合部を粘着方式で結合させた請求項１に記載の網状光飾装置。
【請求項６】
前記結合部を線材で縛り結合させた請求項１に記載の網状光飾装置。
【請求項７】
前記結合部を粘着テープで粘着して結合させた請求項１に記載の網状光飾装置。
【請求項８】
主に複数の発光管から成り、並べて配置した相隣する発光管間に連結部を形成し、各発光管内部に少なくとも１本の光ファイバ素線を挿通し、一端に光の入射端を形成し、該連結部に位置を前後にずらせて切り込んだ開口槽を設け、これにより位置が交錯した状態の結合部を形成する網状光飾装置。
【請求項９】
前記各発光管内部に至なくとも１本の支持ワイヤを設置した請求項８に記載の網状光飾装置。
【請求項１０】
前記各光ファイバ素線の外周表面から内側へ向かって、該光ファイバ素線の外周表面を覆う反射層を立体的に深く切り込み、位置を交錯させて複数の光点の生成槽を開設した請求項８に記載の網状光飾装置。
【考案の詳細な説明】
【技術分野】
【０００１】
本考案は網状光飾装置に関し、詳細には、光ファイバにより光を伝達する光飾体を網状に発光する形態に組み合わせたものであり、主に、複数の発光する発光管の相隣する２本間に結合部を交錯状に形成し、該結合部を結合させ、開くと発光する網目を形成する、網状光飾装置に関する。
【背景技術】
【０００２】
光ファイバにより光を伝達して光飾装置を形成する応用については、本考案者が早期に提出した第86101437号「連続点状発光体を備えた光ファイバ」が公開されており、これは、複数の光ファイバ素線を集めて束状にした後、外囲にカバー管を設置して発光管を形成し、各光ファイバ素線内部に立体的角度で複数の光点生成ウィンドウを形成する技術であるが、該等発光管形成の技術は、線状の光飾装置を形成できるのみである。
【考案の開示】
【考案が解決しようとする課題】
【０００３】
本考案の主な目的は、複数の光ファイバ素線を集めて発光管を形成した後、複数の発光管を平行に排列し、且つ、該発光管の相隣する２本間が相互に接する併接線位置に、前後で位置をずらせて結合部を設け、該結合部の存在により、相隣する発光管を両側へ開くと網目が形成され、面状の発光ネットを形成した、網状光飾装置を提供することにある。
【０００４】
本考案さらに別の目的は、各発光管の軸心内部に形状保持が可能な支持ワイヤを穿置し、該支持ワイヤの存在により、網目を開いた状態に支持して定型することができ、或いは光飾体全体を湾曲させたり、立たせたりしてその形状を保持することができる、網状光飾装置を提供することにある。
【課題を解決するための手段】
【０００５】
特に光ファイバで光を伝送し、網状の光飾効果を構成する光飾体の結合形態を提供する網状光飾装置であって、主に、複数の透明カバー管の各管体内部に少なくとも１本の光ファイバ素線及び支持ワイヤを穿置して発光管を形成し、該発光管の一端に光の入射端を設け、発光管の相隣する併接線間に前後に位置をずらせて結合部を設け、該結合部の制限により、相隣する発光管を開くと網目が形成される。
【考案を実施するための最良の形態】
【０００６】
本考案の網状光飾装置は、特に、光ファイバにより光を伝送する網状の光飾体の結合方法に係るものであり、主に、複数の光ファイバ素線と透明カバー管を組み合わせて発光管を形成し、該発光管の相隣する２本間が相互に接する併接線の位置に、前後で位置をずらせて結合部を設け、該結合部を利用し、相隣する発光管を両側へ開いて網目を形成することができ、これにより網状の光飾体を得るものである。
【０００７】
本考案の詳細な実施内容について説明すると、まず図１に示すように、本考案の網状光飾装置は、主に複数の可撓性を備えた光ファイバ素線３を集めて束状にした後、可撓性を備えた透明カバー管３０内部に挿通し、発光管１を構成した後、複数の該発光管１の相隣する２本が接する併接線１１の位置に、前後で位置をずらせて点状の結合部２を設け、該結合部２の存在により、相隣する発光管１の相対点が結合される。
【０００８】
さらに、図２に示すように、各発光管１は相隣する併接線１１の位置に前後に位置をずらせて設けた結合部２を備えているため、相隣する発光管１を両側に開くと網目２０が形成され、これにより発光ネット１０を構成することができる。該発光ネット１０は、発光管１の一端を選択して光の入射端とし、光を取り込んだ後、該発光管１は透明であり、且つ、該光ファイバ素線３が径方向に光を伝送損失し、網状の光飾発光体が形成される。
【０００９】
図１に示すように、該発光管１は主に透明カバー管３０により複数の光ファイバ素線３を保護しており、さらに、該光ファイバ素線３の同軸方向に金属の可撓性を備えた支持ワイヤ４を穿置し、該支持ワイヤ４の強度は原則的に手で湾曲させ形状を作成できる程度とし、網目２０（図２に示す）を開いて形成した後、該支持ワイヤ４の形状保持作用により、網目２０が開いた状態で保持され、安定した網状体となる。装飾物体の表面の形状が曲面である場合は、支持ワイヤ４を使用しなくてもよく、発光ネット１０に柔軟性を与え、曲面に合わせて広がらせることができる。
【００１０】
また、該光ファイバ素線３の外周表面には、立体的角度に位置を交錯させた複数の光点の生成槽３１を開設し、該光点の生成槽３１は、光ファイバ素線３外周表面を被覆する反射層を切り開いた後、光を放つウィンドウとなる。
【００１１】
光ファイバ素線３の伝送損失はおよそ２００〜３００db-/Mの損失率であり、本質的に光ファイバ素線３は、光を導入した後、径方向の光の伝送損失を形成し、該径方向の光の伝送損失により円周表面から線状の光が発せられ、図２に示すように実施すると、網状の発光体が得られる。
【００１２】
さらに、光点の生成槽３１の開設により、密集した複数の点状発光効果が形成され、各発光管１の発光状態が多様化され、且つ、導入する光の光波の長さを不均一にすることで、発光管１が発する光の色にスペクトル変化を発生させることができる。
【００１３】
図３に示すように、本考案の発光ネット１０を筒状に設置することで、ランタン５の光飾を形成することができ、該発光ネット１０の両端は、筒状に囲んだ後、発光ネット１０の対接線１２の位置で同様に結合部２を設け、筒状のランタン５を形成し、該ランタン５は同様に発光ネット１０の光の入射端から光が入射され、ランタン状の発光体が形成される。
【００１４】
図４に示すように、本考案は前述の支持ワイヤ４の存在により、スタンド状のランプ体６を形成することができ、該ランプ体６の底部に座体６０を設け、該座体６０内部に光源を設置し、該光源が発光ネット１０に光を導入すると共に、該発光ネット１０は前述の形状保持機能によりスタンド状に形成することができる。或いは、相隣する発光管１を閉じ合わせ発光板６１を形成し、該発光板６１も同様に発光管１内部に設けた支持ワイヤ４の形状保持機能により、波型の板体を形成することができ、モダンなアートランプ体を構成することができる。また、使用者が隨意に手でその形状を変えることも可能である。
【実施例１】
【００１５】
図５に示すように、本考案の結合部２は、相隣する発光管１の結合位置に、プラスチックまたは金属製の留め具２１を利用し、相隣する発光管を留めてもよい。該留め具２１はC字形の留め具としてもよく、開口部から並べた発光管１を収納し、該留め具２１により留めた箇所に結合部２が形成される。
【実施例２】
【００１６】
図６に示すように、本考案の結合部２は、接着剤２２を利用し、相隣する発光管１を結合させてもよい。
【実施例３】
【００１７】
図７に示すように、本考案の結合部２は、線材２３で縛る方法で相隣する発光管１を縛り結合させてもよい。
【実施例４】
【００１８】
図８に示すように、本考案の結合部２は、粘着テープ２４を利用して粘着する方法で相隣する発光管１を粘着し結合させてもよい。
【実施例５】
【００１９】
図９に示すように、本考案の結合部２の形成は、前述のように外部追加方式で独立した相隣する発光管１を結合させる方法のほか、生産過程において同時に製作できる利便性を利用し、複数の発光管１を平行に同時製作し、各発光管１の相隣する円の接点位置に連結部７を形成し、連結部７を切り開くことで結合部２の実施位置を決定するほか、切り込み方式で開口槽７１を形成し、該開口槽７１の開設位置は結合部２に対応してずらした状態とし、且つ、該開口槽７１の分割を利用して発光管１を図２に示すような状態に形成し、発光ネットとする。
【図面の簡単な説明】
【００２０】
【図１】本考案の基本構造を示す立体外観図である。
【図２】本考案の発光ネットを形成した状態を示す正面図である。
【図３】本考案の発光ネットで形成したランタンを示す立体図である。
【図４】本考案の発光管で形成したスタンド型ランプ体を示す立体外観図である。
【図５】本考案の結合部の実施例１を示す立体斜視図である。
【図６】本考案の結合部の実施例２を示す立体斜視図である。
【図７】本考案の結合部の実施例３を示す立体斜視図である。
【図８】本考案の結合部の実施例４を示す立体斜視図である。
【図９】本考案の結合部の実施例５を示す立体斜視図である。
【符号の説明】
【００２１】
１        発光管
１０      発光ネット
１１      併接線
１２      対接線
２        結合部
２０      網目
２１      留め具
２２      接着剤
２３      線材
２４      粘着テープ
３        光ファイバ素線
３０      透明カバー管
３１      生成槽
４        支持ワイヤ
５        ランタン
６        スタンド型ランプ体
６０      座体
６１      発光板
７        連結部
７１      開口槽
【図１】
0003111128.tif 000003
【図２】
0003111128.tif 000004
【図３】
0003111128.tif 000005
【図４】
0003111128.tif 000006
【図５】
0003111128.tif 000007
【図６】
0003111128.tif 000008
【図７】
0003111128.tif 000009
【図８】
0003111128.tif 000010
【図９】
0003111128.tif 000011